(57)【要約】      （修正有）【課題】簡易にして安価でありながらも、不使用時の保管に邪魔にならないように縮小できる鍋敷きを得ることにある。【解決手段】正方形状の合成樹脂製プレート２の下面に、正方形に四等分割する十文字の谷折れ線部３を設けて谷折れ線部３に沿って第一の溝７を刻設すると共に、一方の対角線に沿って山折れ線部４を設けて山折れ線部に沿って第二の溝を刻設し、プレート２の中心を原点対称とする一方に一対の正方形面部５を形成すると共に、他方に山折れ線部によって更に分割された四面の二等辺三角形面部６を形成し、各二等辺三角形面部６を内方に折り込んでプレート２を１／４面積に折り畳んだ状態でプレート２の下面同士で相互に対向する、正方形面部５と二等辺三角形面部６の一方に突条形状の係合突起１１、他方に係合突起１１に嵌合する嵌合溝形状の係合凹部１２を設ける。【選択図】図３
2015217085.tif 000002
【特許請求の範囲】
【請求項１】
正方形状の合成樹脂製プレート（２）の下面に、正方形に四等分割する十文字の谷折れ線（３）部を設けると共に、一方の対角線に沿って山折れ線部（４）を設けて、プレート（２）の中心を原点対称とする一方に一対の正方形面部（５）を形成すると共に、他方に前記山折れ線部（４）によって更に分割された四面の二等辺三角形面部（６）を形成し、該各二等辺三角形面部（６）を内方に折り込んで前記プレート（２）を１／４面積に折り畳んだ状態で前記プレート（２）の下面同士で相互に対向する、前記正方形面部（５）と二等辺三角形面部（６）の一方に係合突起（１１）、他方に該係合突起（１１）に嵌合する係合凹部（１２）を設けたことを特徴とする鍋敷き。
【請求項２】
正方形状の合成樹脂製プレート（２）の下面に、正方形に四等分割する十文字の谷折れ線部（３）を設けて該谷折れ線部（３）に沿って第一の溝（７）を刻設すると共に、一方の対角線に沿って山折れ線部（４）を設けて該山折れ線部（４）に沿って第二の溝（８）を刻設し、プレート（２）の中心を原点対称とする一方に一対の正方形面部（５）を形成すると共に、他方に前記山折れ線部（４）によって更に分割された四面の二等辺三角形面部（６）を形成し、該各二等辺三角形面部（６）を内方に折り込んで前記プレート（２）を１／４面積に折り畳んだ状態で前記プレート（２）の下面同士で相互に対向する、前記正方形面部（５）と二等辺三角形面部（６）の一方に係合突起（１１）、他方に該係合突起（１１）に嵌合する係合凹部（１２）を設けたことを特徴とする鍋敷き。
【請求項３】
プレート（２）の上面に、第一の溝（７）に対応して正方形に四等分割する十文字の第三の溝（９）を刻設すると共に、第二の溝（８）に対応して一方の対角線に沿って第四の溝（１０）を刻設したことを特徴とする請求項２に記載の鍋敷き。
【請求項４】
係合突起（１１）を突条形状、係合凹部（１２）を嵌合溝形状としたことを特徴とする請求項１又は２又は３に記載の鍋敷き。
【発明の詳細な説明】
【技術分野】
【０００１】
本発明は、コンパクトに折り畳むことのできる鍋敷きに関するものである。
【背景技術】
【０００２】
鍋敷きは、熱せられた鍋をテーブル上に置いた際、その熱によってテーブル面が傷まないようにし、或いは食器等に汁や具材をよそう際にこぼれて汚さないようにするため、台所用品・卓上アイテムとして必須のものである。
【０００３】
これらの鍋敷きは、耐熱性の合成樹脂材や木材、厚手のキルティング布等であるが、少なくともなべの底面積分の大きさを必要とするために大型のものになってしまい、不使用時の保管に邪魔になるものであった。布製であれば畳むこともできるが、厚手であるためにどうしても膨らんでしまい、嵩張るものである。
【先行技術文献】
【特許文献】
【０００４】
【特許文献１】実用新案登録第３１４７１１１号公報
【発明の概要】
【発明が解決しようとする課題】
【０００５】
上記した特許文献には、少なくとも略「くの字」形状とした部材の複数を環状に連結し、この部材を略「への字」形状に反転させて、全体を拡張できるようにした鍋敷きが提示されている。しかしながらこの考案では、最小限で「くの字」形状の部材の環状状態であり、これ以下に折り畳むことはできず、不使用時のコンパクト性に不満の残る処であった。
【０００６】
よって本発明は、上述した従来技術の欠点、不都合、不満を解消するべく発明されたものであって、簡易にして安価でありながらも、不使用時の保管に邪魔にならないように縮小できる鍋敷きを提供することにある。
【課題を解決するための手段】
【０００７】
上記課題を解決するため、本発明の鍋敷きは、正方形状の合成樹脂製プレートの下面に、正方形に四等分割する十文字の谷折れ線部を設けると共に、一方の対角線に沿って山折れ線部を設けて、プレートの中心を原点対称とする一方に一対の正方形面部を形成すると共に、他方に前記した山折れ線部によって更に分割された四面の二等辺三角形面部を形成し、この各二等辺三角形面部を内方に折り込んで前記したプレートを１／４面積に折り畳んだ状態で前記したプレートの下面同士で相互に対向する、前記した正方形面部と二等辺三角形面部の一方に係合突起、他方にこの係合突起に嵌合する係合凹部を設けたことを特徴とする構成である。
【０００８】
また、正方形状の合成樹脂製プレートの下面に、正方形に四等分割する十文字の谷折れ線部を設けてこの谷折れ線部に沿って第一の溝を刻設すると共に、一方の対角線に沿って山折れ線部を設けてこの山折れ線部に沿って第二の溝を刻設し、プレートの中心を原点対称とする一方に一対の正方形面部を形成すると共に、他方に前記した山折れ線部によって更に分割された四面の二等辺三角形面部を形成し、この各二等辺三角形面部を内方に折り込んで前記したプレートを１／４面積に折り畳んだ状態で前記したプレートの下面同士で相互に対向する、前記した正方形面部と二等辺三角形面部の一方に係合突起、他方にこの係合突起に嵌合する係合凹部を設けたことを特徴とする構成である。
【０００９】
この場合、プレートの上面に、第一の溝に対応して正方形に四等分割する十文字の第三の溝を刻設すると共に、第二の溝に対応して一方の対角線に沿って第四の溝を刻設したことを特徴とする構成である。
【００１０】
更に、係合突起を突条形状、係合凹部を嵌合溝形状としたことを特徴とする構成である。
【発明の効果】
【００１１】
従って本発明の鍋敷きは、谷折れ線部と山折れ線部とを折り曲げて正方形状の合成樹脂製プレートを１／４面積に折り畳むので、不使用時の保管に際してコンパクトな形態にすることができ、また、係合突起と係合凹部を嵌合することにより、この折り畳んだ状態を維持することができる。
【００１２】
そして、谷折れ線部に沿って第一の溝を刻設すると共に山折れ線部に沿って第二の溝を刻設することにより、プレートがある程度の肉厚を有していても膨らむことなく円滑に谷折り或いは山折りを達成することができ、折り畳んだ状態を外観体裁の良い整然としたものにすることができる。
【００１３】
また、プレートの上面に、第一の溝に対応して第三の溝を刻設すると共に、第二の溝に対応して第四の溝を刻設すれば、上記した谷折り或いは山折りは更に良好なものになろう。
【００１４】
係合突起を突条形状、係合凹部を嵌合溝形状とすれば、折り畳んだ際の対向面の密着が図れ、嵌合強度も増す等、本発明は簡易にして安価でありながらも、コンパクトに変形させることができ、しかもその変形状態を確実に維持できる等、多くの優れた作用効果を奏する。
【図面の簡単な説明】
【００１５】
【図１】（ａ）は本発明の鍋敷きの下面を示す斜視図、（ｂ）は本発明の鍋敷きの上面を示す斜視図である。
【図２】（ａ）は本発明の鍋敷きの下面を示す底面図、（ｂ）は本発明の鍋敷きの上面を示す平面図である。
【図３】本発明の鍋敷きの折り畳み過程を示す説明図である。
【図４】（ａ）は本発明の鍋敷きの正面図、（ｂ）は折り畳んだ状態の正面図である。
【発明を実施するための形態】
【００１６】
本発明の鍋敷き１は、ウレタンやシリコン等の柔軟な合成樹脂製の正方形状となったプレート２であり、比較的肉厚で充分の耐熱性を有している。
【００１７】
このプレート２の下面に、正方形に四等分割する十文字の谷折れ線部３を設けると共に、一方の対角線に沿って山折れ線部４を設けて、プレート２の中心を原点対称とする一方に一対の正方形面部５を形成すると共に、他方に山折れ線部４によって更に分割された四面の二等辺三角形面部６を形成する（尚、各図面は理解し易いように夫々縮尺を異にしているが、全て同一物品である）。
【００１８】
そして、この谷折れ線部３に沿って第一の溝７を刻設すると共に、山折れ線部４に沿って第二の溝８を刻設し、更に、プレート２の上面に、この第一の溝７に対応して正方形に四等分割する十文字の第三の溝９を刻設すると共に、第二の溝８に対応して一方の対角線に沿って第四の溝１０を刻設する。これらの溝により、谷折れ線部３と山折れ線部４の折り曲げを容易に達成できるようにする。
【００１９】
この構成のプレート２にあって、各二等辺三角形面部６を内方に折り込む形態で、谷折れ線部３と山折れ線部４を夫々折り曲げ、プレート２を１／４面積に重ねて折り畳んだ状態で、前記したプレート２の下面同士で相互に対向する、正方形面部５と二等辺三角形面部６の一方に係合突起１１、他方にこの係合突起１１に嵌合する係合凹部１２を設けるのである。
【００２０】
係合突起１１を突条形状とし、係合凹部１２を嵌合溝形状とすれば、折り畳んだ際の対向面の密着が確実に図れ、嵌合強度も増す。
【実施例】
【００２１】
プレート２にあって、谷折れ線部３と山折れ線部４とが夫々交叉するプレート２の中心部分には、貫通する所定の大きさのスペース孔１３が開設されている。プレート２自体は或る程度の肉厚であるので、プレート２を１／４面積に重ねて折り畳む際にプレート２の中心部分で正方形面部５と二等辺三角形面部６の頂角部分が相互に干渉して盛り上がってしまう虞があり、このスペース孔１３を開設することによりこの干渉を吸収して膨出を防ぐのである。
【００２２】
次に、プレート２の下面で前記した山折れ線部４（第二の溝８）の対角線とは別の対角線を仮想対角線１４として設定して（図２（ａ）参照）、この仮想対角線１４によって正方形面部５に仮想二等辺三角形面部５ａを形成する。従って、プレート２の下面には谷折れ線部３（第一の溝７）を挟む形態で二等辺三角形面部６と仮想二等辺三角形面部５ａとが位置することになり、二等辺三角形面部６を内方に折り込む形態でプレート２を１／４面積に重ねて折り畳むと、この二等辺三角形面部６と仮想二等辺三角形面部５ａとが面接することになる（図３（ｃ）参照）。
【００２３】
プレート２の下面に於ける突条形状の係合突起１１、嵌合溝形状の係合凹部１２として図２（ａ）等で図示した実施例は、多数の係合突起１１と係合凹部１２を交互に隣接して並列設させた構成である。即ち、例えば或る二等辺三角形面部６に、プレート２の対角線である山折れ線部４（第二の溝８）に直交する方向に延出する突条形状の係合突起１１と嵌合溝形状の係合凹部１２とを交互に隣接して並列設する。
【００２４】
同様に、仮想二等辺三角形面部５ａに、仮想対角線１４に直交する方向に延出する突条形状の係合突起１１と嵌合溝形状の係合凹部１２とを交互に隣接して並列設する。そして、プレート２を折り畳んで二等辺三角形面部６と仮想二等辺三角形面部５ａとを面接させた際、二等辺三角形面部６の係合突起１１が仮想二等辺三角形面部５ａの係合凹部１２に、二等辺三角形面部６の係合凹部１２が仮想二等辺三角形面部５ａの係合突起１１に対向するように、夫々の係合突起１１と係合凹部１２を配置する。
【００２５】
例えば図２（ａ）にあって、二等辺三角形面部６の係合突起１１ａが仮想二等辺三角形面部５ａの係合凹部１２ａに対応し、従ってプレート２を折り畳んだ際、この係合突起１１ａと係合凹部１２ａとが嵌合するのであり、このようにして全ての二等辺三角形面部６の係合突起１１が隣り合う仮想二等辺三角形面部５ａの係合凹部１２に嵌合し、二等辺三角形面部６と仮想二等辺三角形面部５ａとはぴったりと重なってその状態を維持するのである。
【００２６】
図３は折り畳み形態を示すもので、図３（ａ）のプレート２を開いた状態（熱せられた鍋底を載置できる状態）から、プレート２の不使用時には図３（ｂ）のように谷折れ線部３（第一の溝７）を折り曲げると共に山折れ線部４（第二の溝８）を折り曲げて二等辺三角形面部６を内方に折り込み、隣り合って対向することになる二等辺三角形面部６と仮想二等辺三角形面部５ａとを面接させ図３（ｃ）、更に対向する係合突起１１と係合凹部１２とを相互に嵌合させて図３（ｄ）のように１／４面積に重ねて折り畳む。
【００２７】
尚、プレート２を図３（ａ）のように開いた状態だけでなく、図３（ｄ）または図４（ｂ）のように正方形に折り畳んだ状態、或いは更に何れか一方の山折れ線部４（第二の溝８）のみを折り曲げてプレート２を長方形の１／２面積に重ねて折り畳んだ状態（図示省略）では、コースターとして使用することもできる。
【符号の説明】
【００２８】
１  鍋敷き
２  プレート
３  谷折れ線部
４  山折れ線部
５  正方形面部
５ａ  仮想二等辺三角形面部
６  二等辺三角形面部
７  第一の溝
８  第二の溝
９  第三の溝
１０  第四の溝
１１  係合突起
１２  係合凹部
１３  スペース孔
１４  仮想対角線
【図１】
2015217085.tif 000003
【図２】
2015217085.tif 000004
【図３】
2015217085.tif 000005
【図４】
2015217085.tif 000006